(57)【要約】【課題】カメラ内蔵型携帯電話等の携帯端末に記録保存されている静止画像データ等の端末内コンテンツを、メモリカードのやり取りやＰＣの介在なく直接転送するコンテンツ転送方法およびシステムを提供する。【解決手段】ＡＶ機器等のプレーヤ２０内に記録媒体２１、システムコントロール部２４、Ｉ／Ｆ部２５およびＬＡＮモジュール２６を含んでいる。プレーヤ２０のユーザは、Ｉ／Ｆ部２５へ入力する電話番号およびパスワードをシステムコントロール部２４、ＬＡＮモジュール２６、ルータ５６、ＷＷＷ５５、携帯キャリア５４を介して携帯端末５１へ送り、携帯端末５１内に記録保存されている静止画像等の端末内コンテンツを、上記と逆の経路で転送して直接取得する。【選択図】図１
2006186486.tif 000002
【特許請求の範囲】
【請求項１】
コンテンツを受信して再生するコンテンツ受信再生装置と、
コンテンツを蓄積し、前記コンテンツ受信再生装置からのコンテンツ転送要求に応答して、対応するコンテンツを送信する携帯端末装置と、
前記コンテンツ受信装置からの所定の前記携帯端末装置への接続要求に応答して、前記コンテンツ受信装置と前記携帯端末装置との間の通信路を形成するネットワーク装置と、
からなるコンテンツ転送システムであって、
前記コンテンツ受信再生装置は、
前記携帯端末装置を特定するための識別子を送信する送信手段と、
前記携帯端末装置からコンテンツを受信するコンテンツ受信手段と、
受信したコンテンツを記憶する記憶手段と、
前記記憶手段に記憶されたコンテンツを再生する再生手段と、
を備え、
前記ネットワーク装置は、
前記コンテンツ受信再生装置が送信する識別子に基づいて、当該識別子を送信したコンテンツ受信再生装置と所定の携帯端末装置との間に通信路を形成するネットワーク形成手段と、
前記携帯端末装置から送信されるコンテンツを前記コンテンツ受信装置に供給するコンテンツ流通手段と、
を備え、
前記携帯端末装置は、
前記ネットワーク装置からの通信路形成要求に応答してネットワーク装置との間の通信路を形成する応答手段と、
コンテンツを記憶するコンテンツ記憶手段と、
前記ネットワーク装置との間に形成された通信路を介してコンテンツ記憶手段に記憶されたコンテンツを送信する送信手段と、
を備える、
ことを特徴とするコンテンツ転送システム。
【請求項２】
前記識別子は、携帯端末固有のアドレス若しくは電話番号である、
ことを特徴とする請求項１に記載のコンテンツ転送システム。
【請求項３】
前記コンテンツ受信再生装置は、
前記送信手段による前記識別子の送信時に、自己の識別情報も送信するものとし、
前記携帯端末装置は、
前記コンテンツ記憶手段に記憶されたコンテンツの送信を許可するコンテンツ受信再生装置を、コンテンツ再生装置に固有の識別情報として記憶する識別情報記憶手段と、
ネットワーク装置からの通信路形成要求に応答してネットワーク装置との間に通信路を形成する際、前記コンテンツ受信再生装置の識別情報を判別し、当該識別情報がコンテンツの送信を許可されているコンテンツ受信再生装置を示すものであるとき、コンテンツ記憶手段に記憶したコンテンツを送信する制御手段と、
を更に備えることを特徴とする請求項１又は２に記載のコンテンツ転送システム。
【請求項４】
前記携帯端末装置は、
前記ネットワーク装置との間の通信路の形成後、前記コンテンツ記憶手段に記憶したコンテンツのコンテンツリストを出力し、
コンテンツ指定情報に応答して指定されたコンテンツを出力し、
前記コンテンツ受信再生装置は、
コンテンツリストを受信して記憶するコンテンツリスト受信手段と、
受信したコンテンツリストからコンテンツを指定するコンテンツ指定手段と、
コンテンツ指定手段による指定に基づいてコンテンツ指定情報を生成し、前記送信手段に出力するコンテンツ指定情報生成手段と、
を備えることを特徴とする請求項１乃至３に記載のコンテンツ転送システム。
【請求項５】
前記携帯端末装置は、ネットワークを介してコンテンツを受信し、前記コンテンツ受信再生装置へのコンテンツの転送によって、転送したコンテンツを消去する、
ことを特徴とする請求項１乃至４に記載のコンテンツ転送システム。
【請求項６】
前記携帯端末装置を特定するための識別子を送信する送信手段と、
前記携帯端末装置からコンテンツを受信するコンテンツ受信手段と、
受信したコンテンツを記憶する記憶手段と、
前記記憶手段に記憶されたコンテンツを再生する再生手段と、
を備えることを特徴とするコンテンツ受信再生装置。
【請求項７】
コンテンツを蓄積し、コンテンツ受信再生装置からのコンテンツ転送要求に応答して、対応するコンテンツを送信する携帯端末装置であって、
ネットワーク装置からの通信路形成要求に応答してネットワーク装置との間の通信路を形成する応答手段と、
コンテンツを記憶するコンテンツ記憶手段と、
前記ネットワーク装置との間に形成された通信路を介してコンテンツ記憶手段に記憶されたコンテンツを送信する送信手段と、
を備えることを特徴とする携帯端末装置。
【発明の詳細な説明】
【技術分野】
【０００１】
本発明はコンテンツ転送システム、コンテンツ受信再生装置および携帯端末装置に関し、特に携帯電話端末からのコンテンツ転送システムに関する。
【背景技術】
【０００２】
デジタル技術およびネットワークを含む通信技術の急速な進歩により、最近のオーディオビジュアル（ＡＶ）機器は、インターネットに接続され種々のソースから取得するコンテンツを取り込み（ダウンロードして）、取り込まれたコンテンツをその後に視聴可能になっている。
【０００３】
斯かる技術分野における従来技術は、種々の技術文献に開示されている。例えば、携帯電話等と通信可能に構成されたＡＶ機器に関連する携帯型情報機器、予約制御方法および予約制御プログラム等が開示されている（例えば、特許文献１参照。）。
【０００４】
【特許文献１】特開２００２−２９１０６６号公報（第４頁、第４図）
【０００５】
図３は、一般的なインターネット接続型のＡＶシステムのシステム構成図である。このＡＶシステム３０は、インターネット接続型のプレーヤ４０、携帯端末５１、メモリカード５２およびＰＣ（パーソナルコンピュータ）５３により構成されている。そして、プレーヤ４０は、ＣＤ（コンパクトディスク）やＤＶＤ（デジタル多用途ディスク）ＨＤＡ等の記録媒体４１、この記録媒体４２をドライブするローディング部４２、記録媒体４１に情報（データ）を読み書きするヘッド部４３、システムコントロール部４４、インタフェース（Ｉ／Ｆ）部４５、ＬＡＮモジュール４６およびストレージスロット４７を含んでいる。
【０００６】
このＡＶシステム３０では、記録媒体４１に記録されているコンテンツを再生する。また、ＬＡＮモジュール４６を介してインターネット等のネットワークに接続して、希望するコンテンツを取得（ダウンロード）して、記録媒体４１に記録することも可能である。更に、ストレージスロット４７にコンテンツが記録されたメモリを挿入して、そのメモリに記録されたメモリカードコンテンツを再生すると共にシステムコントロール部４４およびＩ／Ｆ部４５を介して外部の再生装置（ディスプレイやオーディオスピーカ等）に出力することも可能である。
【発明の開示】
【発明が解決しようとする課題】
【０００７】
図３に示す如き一般的なＡＶシステム３０では、携帯端末５１内のデータ（主として携帯電話に蓄積されたＡＶコンテンツ）をプレーヤ４０又はＰＣ５３で視聴しようとすると、携帯電話５１が外付けメモリを持っていない場合には、専用線で一旦ＰＣ５３に取り込み視聴することとなる。一方、携帯電話５１が外付けメモリを持っている場合には、コンテンツを記録したメモリカード５２を携帯電話５１から抜き取り、このメモリカード５２をプレーヤ４０のストレージスロット４７に差し込んで視聴する。即ち、携帯電話５１からのデータを直接取得して視聴することができないという課題があった。また、携帯電話が手元にない（例えば、自宅やオフィスへ置き忘れ）場合には、携帯電話内のコンテンツを視聴することができないという課題があった。
【０００８】
本発明は、従来技術の上述した課題に鑑みなされたものであり、斯かる課題乃至不便を解消するコンテンツ転送方法およびシステムを提供することを主たる目的とする。
【課題を解決するための手段】
【０００９】
前述の課題を解決するため本発明によるコンテンツ転送システム、コンテンツ受信再生装置および携帯端末装置は、次のような特徴的な構成を採用している。
【００１０】
（１）コンテンツを受信して再生するコンテンツ受信再生装置と、
コンテンツを蓄積し、前記コンテンツ受信再生装置からのコンテンツ転送要求に応答して、対応するコンテンツを送信する携帯端末装置と、
前記コンテンツ受信装置からの所定の前記携帯端末装置への接続要求に応答して、前記コンテンツ受信装置と前記携帯端末装置との間の通信路を形成するネットワーク装置と、
からなるコンテンツ転送システムであって、
前記コンテンツ受信再生装置は、
前記携帯端末装置を特定するための識別子を送信する送信手段と、
前記携帯端末装置からコンテンツを受信するコンテンツ受信手段と、
受信したコンテンツを記憶する記憶手段と、
前記記憶手段に記憶されたコンテンツを再生する再生手段と、
を備え、
前記ネットワーク装置は、
前記コンテンツ受信再生装置が送信する識別子に基づいて、当該識別子を送信したコンテンツ受信再生装置と所定の携帯端末装置との間に通信路を形成するネットワーク形成手段と、
前記携帯端末装置から送信されるコンテンツを前記コンテンツ受信装置に供給するコンテンツ流通手段と、
を備え、
前記携帯端末装置は、
前記ネットワーク装置からの通信路形成要求に応答してネットワーク装置との間の通信路を形成する応答手段と、
コンテンツを記憶するコンテンツ記憶手段と、
前記ネットワーク装置との間に形成された通信路を介してコンテンツ記憶手段に記憶されたコンテンツを送信する送信手段と、
を備える、
コンテンツ転送システム。
（２）前記識別子は、携帯端末固有のアドレス若しくは電話番号である、
上記（１）のコンテンツ転送システム。
（３）前記コンテンツ受信再生装置は、
前記送信手段による前記識別子の送信時に、自己の識別情報も送信するものとし、
前記携帯端末装置は、
前記コンテンツ記憶手段に記憶されたコンテンツの送信を許可するコンテンツ受信再生装置を、コンテンツ再生装置に固有の識別情報として記憶する識別情報記憶手段と、
ネットワーク装置からの通信路形成要求に応答してネットワーク装置との間に通信路を形成する際、前記コンテンツ受信再生装置の識別情報を判別し、当該識別情報がコンテンツの送信を許可されているコンテンツ受信再生装置を示すものであるとき、コンテンツ記憶手段に記憶したコンテンツを送信する制御手段と、
を更に備える上記（１）又は（２）のコンテンツ転送システム。
（４）前記携帯端末装置は、
前記ネットワーク装置との間の通信路の形成後、前記コンテンツ記憶手段に記憶したコンテンツのコンテンツリストを出力し、
コンテンツ指定情報に応答して指定されたコンテンツを出力し、
前記コンテンツ受信再生装置は、
コンテンツリストを受信して記憶するコンテンツリスト受信手段と、
受信したコンテンツリストからコンテンツを指定するコンテンツ指定手段と、
コンテンツ指定手段による指定に基づいてコンテンツ指定情報を生成し、前記送信手段に出力するコンテンツ指定情報生成手段と、
を備える上記（１）乃至（３）のコンテンツ転送システム。
（５）前記携帯端末装置は、ネットワークを介してコンテンツを受信し、前記コンテンツ受信再生装置へのコンテンツの転送によって、転送したコンテンツを消去する、
上記（１）乃至（４）のコンテンツ転送システム。
（６）前記携帯端末装置を特定するための識別子を送信する送信手段と、
前記携帯端末装置からコンテンツを受信するコンテンツ受信手段と、
受信したコンテンツを記憶する記憶手段と、
前記記憶手段に記憶されたコンテンツを再生する再生手段と、
を備えるコンテンツ受信再生装置。
（７）コンテンツを蓄積し、コンテンツ受信再生装置からのコンテンツ転送要求に応答して、対応するコンテンツを送信する携帯端末装置であって、
ネットワーク装置からの通信路形成要求に応答してネットワーク装置との間の通信路を形成する応答手段と、
コンテンツを記憶するコンテンツ記憶手段と、
前記ネットワーク装置との間に形成された通信路を介してコンテンツ記憶手段に記憶されたコンテンツを送信する送信手段と、
を備える携帯端末装置。
【発明の効果】
【００１１】
本発明のコンテンツ転送システムによると、次の如き実用上の顕著な効果が得られる。即ち、携帯電話等の携帯端末内に記録保存されている画像や音声データである装置内コンテンツをメモリカード等のストレージのやり取り（又は介在）を必要とすることなく、プレーヤで直接視聴することが可能である。また、携帯端末は、手元になくてもよい。その理由は、プレーヤのＬＡＮモジュールからルータ、ＷＷＷおよび携帯キャリアを介して携帯端末に接続されるからである。
【実施例】
【００１２】
以下、本発明によるコンテンツ転送方法およびシステムの好適実施例の構成および動作を、添付図面を参照して詳細に説明する。
【００１３】
先ず、図１は、本発明によるコンテンツ転送システムの好適実施例のシステム構成図を示す。このコンテンツ転送システム１０は、プレーヤ２０、携帯端末５１、携帯キャリア５４、ＷＷＷ（World Wide Web）５５およびルータ５６により構成される。プレーヤ２０は、ＣＤ、ＤＶＤ等の記録媒体２１、そのローディング部２２、記録媒体２１への読み書きを行なうヘッド部２３、システムコントロール部２４、インタフェース（Ｉ／Ｆ）部２５、ＬＡＮモジュール２６およびストレージスロット２７を含んでいる。
【００１４】
コンテンツ転送システム１０において、プレーヤ２０のシステムコントロール部２４は、Ｉ／Ｆ部２５を介して操作部等に接続されると共にＬＡＮモジュール２６を介してルータ５６に接続されている。又、ＬＡＮモジュール２８を介して受信したコンテンツを記憶するメモリを備えている。尚、このメモリは、ストリーミング形式でデータを順次受信して再生する場合には、極めて小容量のもので良い。更に、ルータ５６は、ＷＷＷ５５、携帯キャリア（無線基地局等）５４を介して携帯端末（又は携帯電話）５１に接続される。
【００１５】
携帯端末５１は、ＡＶコンテンツを記憶するメモリ５１１、携帯キャリア５４との通信路を形成するネットワーク形成手段５１２、メモリ内のコンテンツを送信する送信手段５１３を有している。又メモリに記憶されたコンテンツを識別するためのコンテンツリストをメモリ内の所定領域に格納している。
次に、携帯端末５１の端末内コンテンツをプレーヤ２０のユーザが取得する概略動作を、図１を参照して説明する。先ず、ユーザは、操作部を操作して識別子（携帯端末の電話番号）およびパスワードをプレーヤ２０のＩ／Ｆ部２５に入力する。入力された番号およびパスワードは、Ｉ／Ｆ部２５からシステムコントロール部２４に送られる。システムコントロール部２４は、この番号およびパスワードを、ＬＡＮモジュール２６、ルータ５６、ＷＷＷ５５、携帯キャリア５４を介して携帯端末５１へ送信される。
【００１６】
そこで、携帯端末５１は、端末内コンテンツを、携帯キャリア５４、ＷＷＷ５５、ルータ５６およびＬＡＮモジュール２６を介してシステムコントロール部２４へ送信する。また、システムコントロール部２４は、Ｉ／Ｆ部２５を介してユーザへ端末内コンテンツを出力する。これにより、プレーヤ２０のユーザは、携帯端末５１の端末内コンテンツを、ストレージスロット２７を介することなく直接取得して視聴することが可能である。
【００１７】
次に、図２（Ａ）〜（Ｄ）は、プレーヤ２０のユーザが、携帯端末５１の端末内コンテンツを取得するための操作手順を示す。先ず、図２（Ａ）に示す如く操作部の表示パネルに「端末番号入力」の文字と、所定数（例えば、１１桁）の枠が表示され、プレーヤのユーザに端末番号の入力を催促（プロンプト）する。
【００１８】
そこで、ユーザがキー等を操作して、取得したいコンテンツを有する携帯端末５１の端末番号（例えば、０９０１２３４５６７８）を入力する。ユーザが、端末番号を入力すると、図２（Ｂ）に示す如く、操作部の表示パネルには、「接続中・・・」の如き表示がなされる。これにより、ユーザは、コンテンツ転送システム１０が正常に動作していることを確認することが可能である。
【００１９】
携帯キャリア５４は携帯端末５１に通信の確立を要求する。確立要求を受けた携帯端末５１は、携帯キャリア５４との間の通信を確立する。このとき、携帯キャリア５４は端末５１内のコンテンツの送信を要求する通信確立であることを通知する。この通知に基づいて携帯端末５１は所定のプログラムを起動しパスワードを要求して待機する。次に、表示パネルには、図２（Ｃ）に示す如く、「パスワード入力」の文字と所定数の枠が表示され、パスワード等の入力を催促する。即ち、セキュリティ保全のために、データのやり取りには予め携帯端末５１に設定されているパスワード等の入力も必要である。これにより、他人の携帯端末に不正アクセスし又は他人が本人になりすまして他人のデータを無断使用することを防止する。
【００２０】
尚、携帯端末５１は、コンテンツの転送を許可するプレーヤを予め登録し、又、プレーヤは自己の識別情報を電話番号の送信時に一緒に送信するようにしても良い。これによって、予めコンテンツ転送を許可されたプレーヤからの接続のみ、パスワードの入力を要求することになり、より不正アクセスを防止することが可能になる。端末番号およびパスワードの入力が完了すると、図２（Ｄ）に示す如き端末内コンテンツが携帯端末５１から送信される。この特定例では、携帯端末番号ＸＸＸ−ＸＸＸＸ−ＸＸＸＸ内ＡＶコンテンツとして、その携帯端末５１に格納されているＡＶコンテンツのリストが表示される。尚、表示パネルに一度に表示可能な数を超える場合には、その一部が表示され、右側のバーにより全体の数のうち表示部分が表示される。ユーザは、矢印をクリックすることによりリストをスクロールさせて、希望するＡＶコンテンツを選択する。携帯端末５１は、選択されたＡＶコンテンツを送信する。そして、プレーヤ２０は選択されたＡＶコンテンツのデータをダウンロードして視聴することが可能である。
【００２１】
尚、携帯端末５１の態様は特に限定されるべきではないが、携帯端末５１を携帯電話として構成すれば、携帯電話は通信路の形成機能を予め有しているので、本発明の適用に極めて有利である。
【００２２】
以上、本発明によるコンテンツ転送方法およびシステムの好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。
【図面の簡単な説明】
【００２３】
【図１】本発明によるコンテンツ転送システムの好適実施例のシステム構成図である。
【図２】図１に示すコンテンツ転送システムにおける端末内コンテンツ転送操作手順の説明図である。
【図３】一般的なコンテンツ転送システムのシステム構成図である。
【符号の説明】
【００２４】
１０  コンテンツ転送システム
２０  プレーヤ
２１  記録媒体
２４  システムコントロール部
２５  インタフェース（Ｉ／Ｆ）部
２６  ＬＡＮモジュール
５１  携帯端末
５４  携帯キャリア
５５  ＷＷＷ
５６  ルータ
５１１  メモリ
５１２  ネットワーク形成手段
５１３  送信手段
【図１】
2006186486.tif 000003
【図２】
2006186486.tif 000004
【図３】
2006186486.tif 000005